Podtech/llm-jp-corpus-v4-ja_patent huggingface dataset:
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
（Ａ）以下の構造：
【化１】
2015517449.tif 000001
［式中、Ｒ1、Ｒ2及びＲ3はそれぞれ独立して水素、Ｃ1−Ｃ3アルキル、−ＣＯＯＨ、−ＣＨ2ＣＯＯＨ又はそれらの混合物を示し；Ｘは水素又はアルカリ金属を示す］
により示される第１成分；ならびに
（Ｂ）以下の構造：
【化２】
2015517449.tif 000002
［式中、Ｒ4、Ｒ5、Ｒ6、Ｒ7及びＲ8はそれぞれ独立して水素、Ｃ1−Ｃ3アルキル、−ＣＯＯＨ又はそれらの混合物を示し；Ｙは−Ｏ−、−ＣＯＯ−、−ＯＯＣ−、−ＣＯＮＨ−又は−ＮＨＣＯ−を示し；Ｚは（ＣＨ2）nを示し、ここで“ｎ”は０〜６の全数を示し；そして“ｍ”は２５〜２００の整数を示す］
により示される第２成分；
（Ｃ）場合により、重合した（メタ）アクリルアミド、Ｎ−アルキル（メタ）アクリルアミド、Ｎ，Ｎ−ジアルキル（メタ）アクリルアミド、３−アクリルアミド−２−メチルプロパンスルホン酸又はその塩ならびにスチレンスルホン酸又はその塩あるいはそれらの混合物の繰り返し単位を含んでなる第３成分
を含んでなり、
ここで該第１成分Ａ対該第２成分Ｂのモル比は０．５〜１．５の範囲内であり、カルボキシレートグラフトポリマーの重量平均分子量は２２，０００〜２５０，０００の範囲内である
粘土又は粘土保有骨材の処理のためのカルボキシレートグラフトポリマー組成物。
【請求項２】
重合した（メタ）アクリルアミド、Ｎ−アルキル（メタ）アクリルアミド、Ｎ，Ｎ−ジアルキル（メタ）アクリルアミド、３−アクリルアミド−２−メチルプロパンスルホン酸又はその塩ならびにスチレンスルホン酸又はその塩あるいはそれらの混合物の少なくとも１つの繰り返し単位をさらに含んでなる請求項１のカルボキシレートグラフトポリマー組成物。
【請求項３】
該成分Ｂの数平均分子量が１，０００〜１０，０００の範囲内である請求項１〜２のいずれか１項のカルボキシレートグラフトポリマー組成物。
【請求項４】
塑性水和性セメント性組成物中に混合されると、０〜４インチのスランプ（ＡＳＴＭ  Ｃ１４３に従って標準的なスランプコーンを用いて）を有する請求項１〜３のいずれか１項のカルボキシレートグラフトポリマー組成物。
【請求項５】
セメント性組成物の改質のための添加剤組成物であって、
（ｉ）減水剤、硬化遅延剤、硬化加速剤、空気連行剤、空気除去剤及びそれらの混合物より成る群から選ばれる少なくとも１種の化学添加剤；ならびに
（ｉｉ）（Ａ）以下の構造：
【化３】
2015517449.tif 000003
［式中、Ｒ1、Ｒ2及びＲ3はそれぞれ独立して水素、Ｃ1−Ｃ3アルキル、−ＣＯＯＨ、−ＣＨ2ＣＯＯＨ又はそれらの混合物を示し；Ｘは水素又はアルカリ金属を示す］
により示される第１成分；ならびに
（Ｂ）以下の構造：
【化４】
2015517449.tif 000004
［式中、Ｒ4、Ｒ5、Ｒ6、Ｒ7及びＲ8はそれぞれ独立して水素、Ｃ1−Ｃ3アルキル、−Ｃ
ＯＯＨ又はそれらの混合物を示し；Ｙは−Ｏ−、−ＣＯＯ−、−ＯＯＣ−、−ＣＯＮＨ−又は−ＮＨＣＯ−を示し；Ｚは（ＣＨ2）nを示し、ここで“ｎ”は０〜６の全数を示し；そして“ｍ”は２５〜２００の整数を示す］
により示される第２成分；
（Ｃ）場合により、重合した（メタ）アクリルアミド、Ｎ−アルキル（メタ）アクリルアミド、Ｎ，Ｎ−ジアルキル（メタ）アクリルアミド、３−アクリルアミド−２−メチルプロパンスルホン酸又はその塩ならびにスチレンスルホン酸又はその塩あるいはそれらの混合物の繰り返し単位を含んでなる第３成分
を含んでなり、ここで該第１成分Ａ対該第２成分Ｂのモル比は０．５〜１．５の範囲内であり、カルボキシレートグラフトポリマーの重量平均分子量は２２，０００〜２５０，０００の範囲内である粘土又は粘土保有骨材の処理のためのカルボキシレートグラフトポリマー
を含んでなる添加剤組成物。
【請求項６】
該少なくとも１種の化学添加剤がリグニンスルホネート、ナフタレンスルホネートホルムアルデヒド縮合物、メラミンスルホネートホルムアルデヒド縮合物、アルキレンオキシド基を含有するポリカルボキシレート櫛形ポリマー、グルコネート及びそれらの混合物より成る群から選ばれる減水剤である請求項５の添加剤組成物。
【請求項７】
セメント性結合剤及び複数の粘土保有骨材に、請求項５又は６の添加剤組成物を導入すること、または
セメント性結合剤及び複数の粘土保有骨材に、請求項１〜４のいずれか１項のカルボキシレートグラフトポリマー組成物を導入すること
を含んでなる、粘土保有骨材を含有するセメント性材料の改質方法。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
アンギオゲニンを有効成分とする抗腫瘍剤。
【請求項２】
抗腫瘍剤が、腫瘍体積の減少、腫瘍増殖の阻害又は遅延、腫瘍進行の阻害、腫瘍の代謝活性の変化、腫瘍の休眠の誘発、転移の阻害又は抑制、腫瘍浸潤の阻害又は抑制、腫瘍重量の減少、腫瘍血管新生の抑制、疾患進行までの時間（ＴＤＰ）の改善、及び／又は生存率の向上を含む、請求項１に記載の抗腫瘍剤。
【請求項３】
アンギオゲニンを、アンギオゲニンを富化させたミルク抽出物として含有する、請求項１に記載の抗腫瘍剤。
【請求項４】
さらに化学療法剤、放射線療法、又はその両方を併用する請求項１〜３のいずれかに記載の抗腫瘍剤。
【請求項５】
さらに、化学保護剤を含有する請求項１〜４のいずれかに記載の抗腫瘍剤。
【請求項６】
経口投与用抗腫瘍剤である請求項１〜５のいずれかに記載の抗腫瘍剤。
【請求項７】
抗腫瘍栄養補助食品である請求項１〜６のいずれかに記載の抗腫瘍剤。  
【請求項８】
アンギオゲニンと化学療法剤とを含む組成物。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
CPAVKRDVDLFLT (SEQ ID NO: 1)の配列から成るペプチドの塩酸塩。
【請求項２】
５質量％未満の(a)SEQ ID NO: 1の配列から成るペプチドからの末端システイン-プロリン残基の開裂により生じる不純物を含む請求項１記載の塩。
【請求項３】
５質量％未満の(b)SEQ ID NO: 1の配列から成るペプチドのシステインスルフィン酸形態及び／又は(c)SEQ ID NO: 1の配列から成るペプチドのダイマーを含む請求項１又は２記載の塩。
【請求項４】
請求項１から３のいずれか１項に記載の塩酸塩及び医薬的に許容可能な担体又は希釈剤を含有する医薬組成物。
【請求項５】
更に追加のペプチド１種以上又はそれらの医薬的に許容可能な塩を含有する請求項４記載の医薬組成物。
【請求項６】
該追加のペプチド１種以上又はそれらの医薬的に許容可能な塩が、SEQ ID NO: 2から7の配列から成るペプチド又はそれらの医薬的に許容可能な塩から選択される請求項５記載の医薬組成物。
【請求項７】
該追加のペプチド１種以上又はそれらの医薬的に許容可能な塩が、SEQ ID NO: 2から7の配列から成る６種のペプチド又はそれらの医薬的に許容可能な塩である請求項６記載の医薬組成物。
【請求項８】
・チオグリセロール、チオアニソール又はメチオニンの少なくとも１種；及び／又は
・トレハロース又はショ糖の少なくとも１種
を更に含む請求項７記載の医薬組成物。
【請求項９】
・SEQ ID NO: 1の配列から成るペプチドの塩酸塩；
・SEQ ID NO: 2から7の配列から成る6種のペプチドの酢酸塩；
・トレハロース；
・チオグリセロール；
・メチオニン及び任意成分として、
・リン酸
を含む請求項７又は８記載の医薬組成物。
【請求項１０】
５質量％未満の(a)SEQ ID NO: 1の配列から成るペプチドからの末端システイン-プロリン残基の開裂により生じる不純物を含む請求項４から９のいずれか１項に記載の医薬組成物。
【請求項１１】
５質量％未満の(b)SEQ ID NO: 1の配列から成るペプチドのシステインスルフィン酸形態及び／又は(c)SEQ ID NO: 1の配列から成るペプチドのダイマーを含む請求項４から１０のいずれか１項に記載の医薬組成物。
【請求項１２】
請求項１から３のいずれか１項に記載の塩酸塩を活性成分として含む、ネコに対するアレルギーの予防又は治療剤。
【請求項１３】
請求項４から１１のいずれか１項に記載の医薬組成物を活性成分として含む、ネコに対するアレルギーの予防又は治療剤。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
活性成分として、配列番号１のアミノ酸配列を含むペプチドを含む、悪液質の予防または治療のための組成物。
【請求項２】
前記組成物は、悪液質と係わる症状を除去するために使用されるか、あるいは悪液質を治療または予防するために使用される、請求項１に記載の悪液質の予防または治療のための組成物。
【請求項３】
前記悪液質は、ＡＩＤＳ、癌、股関節部骨折後、慢性心不全、ＣＯＬＤ（慢性閉鎖性肺疾患）とＣＯＰＤ（慢性閉鎖性肺疾患）とを含む慢性肺疾患、肝硬化症、腎不全、関節リウマチを含む自家免疫疾患、全身性ループス、肺血症、結核、嚢胞性線維症、クローン病及び重度感染から選択される一つ以上によって引き起こされる、請求項１に記載の悪液質の予防または治療のための組成物。
【請求項４】
前記悪液質は、老化によって引き起こされる、請求項１に記載の悪液質の予防または治療のための組成物。
【請求項５】
前記ペプチドは、０．００１〜１ｎｇ／ｋｇの１回投与量で投与される、請求項１に記載の悪液質の予防または治療のための組成物。
【請求項６】
前記ペプチドは、０．０１〜０．４ｎｇ／ｋｇの１回投与量で投与される、請求項１に記載の悪液質の予防または治療のための組成物。
【請求項７】
前記ペプチドは、１日〜５日ごとに１回投与される、請求項１に記載の悪液質の予防または治療のための組成物。
【請求項８】
前記ペプチドは、１．５日〜２．５日ごとに１回投与される、請求項１に記載の悪液質の予防または治療のための組成物。
【請求項９】
０．０５ｎＭ〜５ｎＭの濃度のペプチドを含む、請求項１に記載の悪液質の予防または治療のための組成物。
【請求項１０】
注射用に製剤化される、請求項１に記載の悪液質の予防または治療のための組成物。
【請求項１１】
医薬組成物である、請求項１に記載の悪液質の予防または治療のための組成物。
【請求項１２】
食品組成物である、請求項１に記載の悪液質の予防または治療のための組成物。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
活性成分として、配列番号１のアミノ酸配列を含むペプチドを含む、関節リウマチの予防用または治療用組成物。
【請求項２】
関節リウマチと係わる症状を除去するために使用されるか、あるいは関節リウマチの予防または治療のために使用される、請求項１に記載の関節リウマチの予防用または治療用組成物。
【請求項３】
前記ペプチドは、０．００１〜１ｎｇ／ｋｇの１回投与量で投与される、請求項１に記載の関節リウマチの予防用または治療用組成物。
【請求項４】
前記ペプチドは、０．０１〜０．４ｎｇ／ｋｇの１回投与量で投与される、請求項１に記載の関節リウマチの予防用または治療用組成物。
【請求項５】
前記ペプチドは、１日〜５日ごとに１回投与される、請求項１に記載の関節リウマチの予防用または治療用組成物。
【請求項６】
前記ペプチドは、１日〜３日ごとに１回投与される、請求項１に記載の関節リウマチの予防用または治療用組成物。
【請求項７】
０．０５ｎＭ〜５ｎＭの濃度のペプチドを含む、請求項１に記載の関節リウマチの予防用または治療用組成物。
【請求項８】
注射剤剤形である、請求項１に記載の関節リウマチの予防用または治療用組成物。
【請求項９】
関節リウマチの予防用または治療用の医薬組成物である、請求項１に記載の組成物。
【請求項１０】
関節リウマチの予防用または治療用の食品組成物である、請求項１に記載の組成物。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
ガンの治療用の薬剤の製造のための、ガン性細胞におけるヒトＭＣＭ複合体に対する阻害効果を有する抗ガン剤の使用。
【請求項２】
前記抗ガン剤が、ガン性細胞を頓挫性Ｓ期に入らせ、かつ、正常な細胞をＧ１期において実質的に停止させるその能力のためにさらに選択される、請求項１に記載の使用。
【請求項３】
前記阻害効果が、ＭＣＭサブユニットからの機能的なＭＣＭ複合体の形成を中断させることによって達成される、請求項２に記載の使用。
【請求項４】
前記機能的なＭＣＭ複合体が、核の中に移動することができるヘテロヘキサマー環状構造体であり、かつ、ＤＮＡ複製のために必要である、請求項３に記載の使用。
【請求項５】
前記抗ガン剤が、ｈＭｃｍ２とｈＭｃｍ６との間における相互作用を妨害することによって前記機能的なＭＣＭ複合体の前記形成を中断させる、請求項３に記載の使用。
【請求項６】
前記抗ガン剤が、１７ベータ−デアセチルタンギニン、１７ベータ−ネリイホリン、ブファリン、１７ベータ−デアセチルタンギニンジオール、レシブホゲニンおよびシノブファギンからなる群から選択される、請求項１に記載の使用。
【請求項７】
前記抗ガン剤が１７ベータ−デアセチルタンギニンである、請求項６に記載の使用。
【請求項８】
前記抗ガン剤が１７ベータ−デアセチルタンギニンジオールである、請求項６に記載の使用。
【請求項９】
前記抗ガン剤が、ブファリン、シノブファギンまたはレシブホゲニンである、請求項６に記載の使用。
【請求項１０】
抗ガン化合物についてスクリーニングする方法であって、（ａ）候補化合物を一定の期間にわたって細胞の集団と接触させる工程、および、（ｂ）そのサブユニットから形成される機能的なＭＣＭ複合体の量を前記細胞において決定する工程を含む方法。
【請求項１１】
工程（ｂ）が、核に位置するＭＣＭサブユニットの一部を、細胞質に位置する一部と比較して検出することによって行われる、請求項１０に記載の方法。
【請求項１２】
間接的な蛍光プロセス（免疫染色）が、１つまたは複数の内因性ＭＣＭサブユニットに対する１つまたは複数の一次抗体と、前記一次抗体を認識する蛍光標識された二次抗体とが、前記細胞が特定の継続期間にわたって前記候補化合物で処理された後における前記ＭＣＭタンパク質の所在を可視化するために使用される工程（ｂ）において行われる、請求項１１に記載の方法。
【請求項１３】
直接的な蛍光プロセスが、前記細胞が、蛍光タンパク質と融合される１つまたは複数のＭＣＭサブユニットを発現することができる１つまたは複数のプラスミドでトランスフェクションされており、その後、前記蛍光標識されたＭＣＭサブユニットの所在が、前記細胞が特定の継続期間にわたって前記候補化合物で処理された後で検出される工程（ｂ）において行われる、請求項１１に記載の方法。
【請求項１４】
前記ＭＣＭサブユニットが、ｈＭｃｍ２、ｈＭｃｍ３、ｈＭｃｍ４、ｈＭｃｍ５、ｈＭｃｍ６およびｈＭｃｍ７からなる群から選択される１つまたは複数のものを含む、請求項１１に記載の方法。
【請求項１５】
工程（ｂ）が、前記ＭＣＭサブユニットの物理的相互作用を検出することによって、または、クロマチンに結合するＭＣＭタンパク質の量を測定することによって行われる、請求項１０に記載の方法。
【請求項１６】
工程（ｂ）が、ＭＣＭタンパク質の酵素機能（例えば、ＡＴＰａｓｅ活性および／またはヘリカーゼ活性など）を測定することによって行われる、請求項１０に記載の方法。
【請求項１７】
前記細胞に対する前記候補化合物の抗増殖効果およびアポトーシス誘導効果を調べる確認工程をさらに含む、請求項１０に記載の方法。
【請求項１８】
前記確認工程が、ＢｒｄＵ取り込みアッセイおよび／またはフローサイトメトリーを使用することによって行われる、請求項１７に記載の方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
医学的手技からポリ−Ｎ−アセチルグルコサミン（ＰＮＡＧ）含有微生物バイオフィルムが発生するリスクがある対象における院内感染を防止するために使用するための、ＰＮＡＧに特異的に結合し、ＰＮＡＧ含有微生物バイオフィルム形成を阻害する抗体。
【請求項２】
前記院内感染が、肺感染、関節感染、心臓内感染、皮膚感染、軟組織感染または敗血症である、請求項１に記載の抗体。
【請求項３】
前記医学的手技が、前記対象における外科用インプラントの設置である、請求項１または２に記載の抗体。
【請求項４】
前記外科用インプラントが、ステント、カテーテル、カニューレ、プロテーゼまたはペースメーカーである、請求項３に記載の抗体。
【請求項５】
以下の条件：
（ａ）前記抗体を全身投与する；
（ｂ）前記抗体を前記外科用インプラントの移植部位に局所的に投与する；および
（ｃ）前記抗体を前記外科用インプラント上に被覆するか、または前記外科用インプラントに付着させる；
の１つまたはそれ以上に合致する、請求項１〜４のいずれか１項に記載の抗体。
【請求項６】
前記抗体を放出制御製剤で投与する、請求項１〜５のいずれか１項に記載の抗体。
【請求項７】
前記対象がヒトである、請求項１〜６のいずれか１項に記載の抗体。
【請求項８】
前記バイオフィルムがブドウ球菌を含み、好ましくは前記ブドウ球菌が表皮ブドウ球菌または黄色ブドウ球菌である、請求項１〜７のいずれか１項に記載の抗体。
【請求項９】
以下の条件：
（ａ）前記抗体がヒト抗体である；
（ｂ）前記抗体が、それぞれ配列番号：１、２および３に示すＨＣＤＲ１、ＨＣＤＲ２およびＨＣＤＲ３アミノ酸配列を含むＶＨドメインを含む；
（ｃ）前記抗体が、それぞれ配列番号：４、５および６に示すＬＣＤＲ１、ＬＣＤＲ２およびＬＣＤＲ３アミノ酸配列を含むＶＬドメインを含む；
（ｄ）前記抗体が、配列番号：７に示すＶＨドメイン配列を含む；および
（ｅ）前記抗体が、配列番号：８に示すＶＬドメイン配列を含む；
の１つまたはそれ以上に合致する、請求項１〜８のいずれか１項に記載の抗体。
【請求項１０】
対象における外科用インプラント上でポリＮ−アセチルグルコサミン（ＰＮＡＧ）含有微生物バイオフィルムの形成を阻害するために使用する、ＰＮＡＧに特異的に結合する抗体。
【請求項１１】
前記外科用インプラントが、ステント、カテーテル、カニューレ、プロテーゼまたはペースメーカーである、請求項１０に記載の抗体。
【請求項１２】
以下の条件：
（ａ）前記抗体を全身投与する；
（ｂ）前記抗体を前記外科用インプラントの移植部位に局所的に投与する；および
（ｃ）前記抗体を前記外科用インプラント上に被覆するか、または前記外科用インプラントに付着させる；
の１つまたはそれ以上に合致する、請求項１０または１１に記載の抗体。
【請求項１３】
前記抗体を放出制御製剤で投与する、請求項１０〜１２のいずれか１項に記載の抗体。
【請求項１４】
前記対象がヒトである、請求項１０〜１３のいずれか１項に記載の抗体。
【請求項１５】
前記バイオフィルムがブドウ球菌を含み、好ましくは前記ブドウ球菌が表皮ブドウ球菌または黄色ブドウ球菌である、請求項１０〜１４のいずれか１項に記載の抗体。
【請求項１６】
以下の条件：
（ａ）前記抗体がヒト抗体である；
（ｂ）前記抗体が、それぞれ配列番号：１、２および３に示すＨＣＤＲ１、ＨＣＤＲ２およびＨＣＤＲ３アミノ酸配列を含むＶＨドメインを含む；
（ｃ）前記抗体が、それぞれ配列番号：４、５および６に示すＬＣＤＲ１、ＬＣＤＲ２およびＬＣＤＲ３アミノ酸配列を含むＶＬドメインを含む；
（ｄ）前記抗体が、配列番号：７に示すＶＨドメイン配列を含む；および
（ｅ）前記抗体が、配列番号：８に示すＶＬドメイン配列を含む；
の１つまたはそれ以上に合致する、請求項１０〜１５のいずれか１項に記載の抗体。
【請求項１７】
基体を、ＰＮＡＧに特異的に結合する抗体の有効量と接触させることを含む、該基体上でＰＮＡＧ含有微生物バイオフィルムの形成を阻害する方法。
【請求項１８】
前記バイオフィルムがブドウ球菌を含み、好ましくは前記ブドウ球菌が表皮ブドウ球菌または黄色ブドウ球菌である、請求項１７に記載の方法。
【請求項１９】
以下の条件：
（ａ）前記抗体がヒト抗体である；
（ｂ）前記抗体が、それぞれ配列番号：１、２および３に示すＨＣＤＲ１、ＨＣＤＲ２およびＨＣＤＲ３アミノ酸配列を含むＶＨドメインを含む；
（ｃ）前記抗体が、それぞれ配列番号：４、５および６に示すＬＣＤＲ１、ＬＣＤＲ２
およびＬＣＤＲ３アミノ酸配列を含むＶＬドメインを含む；
（ｄ）前記抗体が、配列番号：７に示すＶＨドメイン配列を含む；および
（ｅ）前記抗体が、配列番号：８に示すＶＬドメイン配列を含む；
の１つまたはそれ以上に合致する、請求項１７または１８に記載の方法。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
式Ｐ‐［（Ａ）‐（Ｂ）］の化合物
（式中、
ａ）ＡはインスリンリスプロのＡ鎖（配列番号１）であり、
ｂ）ＢはインスリンリスプロのＢ鎖（配列番号２）であり、かつ
Ｐは平均分子量が約１７．５ｋＤａから約４０ｋＤａであるＰＥＧであり、ＡおよびＢは適切に架橋結合しており、Ｐはウレタン結合によりＢの２８位でリシンのイプシロンアミンに結合している）を含む医薬組成物であって、
中等度から末期の慢性腎臓病患者の糖尿病治療に用いるための、医薬組成物。
【請求項２】
式Ｐ‐［（Ａ）‐（Ｂ）］の化合物
（式中、
ａ）ＡはインスリンリスプロのＡ鎖（配列番号１）であり、
ｂ）ＢはインスリンリスプロのＢ鎖（配列番号２）であり、かつ
Ｐは平均分子量が約１７．５ｋＤａから約４０ｋＤａであるＰＥＧであり、ＡおよびＢは適切に架橋結合しており、Ｐはウレタン結合によりＢの２８位でリシンのイプシロンアミンに結合している）を含む医薬組成物であって、
中等度から末期の慢性腎臓病患者の高血糖症治療に用いるための、医薬組成物。
【請求項３】
ＰＥＧの平均分子量が約１７．５ｋＤａ〜約３０ｋＤａである、請求項１または２に記載の医薬組成物。
【請求項４】
ＰＥＧの平均分子量が約１７．５ｋＤａ〜約２５ｋＤａである、請求項１〜３のいずれか一項に記載の医薬組成物。
【請求項５】
ＰＥＧの平均分子量が約２０ｋＤａである、請求項１〜４のいずれか一項に記載の医薬組成物。
【請求項６】
化合物が
【化１】
2015517494.tif 000001
であり、これにおいて平均的ｎが４０６〜４９７である、請求項５に記載の医薬組成物。
【請求項７】
平均的ｎが４５０〜４５４である、請求項６に記載の医薬組成物。
【請求項８】
患者のクレアチニンクリアランスが６０未満ｍＬ／分である、請求項１〜７のいずれか一項に記載の医薬組成物。
【請求項９】
患者のクレアチニンクリアランスが３０〜５９ｍＬ／分である、請求項１〜７のいずれか一項に記載の医薬組成物。
【請求項１０】
患者のクレアチニンクリアランスが１５〜２９ｍＬ／分である、請求項１〜７のいずれか一項に記載の医薬組成物。
【請求項１１】
患者に血液透析を必要とする、請求項１〜７のいずれか一項に記載の医薬組成物。
【請求項１２】
患者が１型糖尿病である、請求項１〜１１のいずれか一項に記載の医薬組成物。
【請求項１３】
患者が２型糖尿病である、請求項１〜１１のいずれか一項に記載の医薬組成物。
【請求項１４】
式Ｐ‐［（Ａａ）‐（Ｂａ）］の化合物
（式中、
ａ）Ａａは、配列番号１、配列番号４、および配列番号６からなる群から選択されるアミノ酸配列を含むＡ鎖であり、
ｂ）Ｂａは、配列番号３、配列番号５、配列番号７、配列番号８、および配列番号９からなる群から選択されるアミノ酸配列を含むＢ鎖であり、かつ
Ｐは平均分子量が約１７．５ｋＤａから約４０ｋＤａであるＰＥＧであり、ＡａおよびＢａは、適切に架橋結合しており、Ｐは共有結合によってＢａの２９位でリシンのイプシロンアミンに結合している）を含む医薬組成物であって、
中等度から末期の慢性腎臓病患者の高血糖症治療に用いるための、医薬組成物。
【請求項１５】
式Ｐ‐［（Ａａ）‐（Ｂａ）］の化合物
（式中、
ａ）Ａａは、配列番号１、配列番号４、および配列番号６からなる群から選択されるアミノ酸配列を含むＡ鎖であり、
ｂ）Ｂａは、配列番号３、配列番号５、配列番号７、配列番号８、および配列番号９からなる群から選択されるアミノ酸配列を含むＢ鎖であり、かつ
Ｐは平均分子量が約１７．５ｋＤａから約４０ｋＤａであるＰＥＧであり、ＡａおよびＢａは、適切に架橋結合しており、Ｐは共有結合によってＢａの２９位でリシンのイプシロンアミンに結合している）を含む医薬組成物であって、
中等度から末期の慢性腎臓病患者の糖尿病治療に用いるための、医薬組成物。
【請求項１６】
Ａａが配列番号１のアミノ酸配列を含む、請求項１４または１５に記載の医薬組成物。
【請求項１７】
Ａａが配列番号４のアミノ酸配列を含み、Ｂａが配列番号５のアミノ酸配列を含む、請求項１４または１５に記載の医薬組成物。
【請求項１８】
Ｂａが配列番号３のアミノ酸配列を含む、請求項１４または１５に記載の医薬組成物。
【請求項１９】
Ｂａのアミノ酸配列が配列番号８および配列番号９からなる群から選択される、請求項１４〜１６のいずれか一項に記載の医薬組成物。
【請求項２０】
Ａａが配列番号１のアミノ酸配列を含み、Ｂａが配列番号３のアミノ酸配列を含む、請求項１４〜１６のいずれか一項に記載の医薬組成物。
【請求項２１】
式Ｐ‐［（Ａｂ）‐（Ｂｂ）］の化合物
（式中、
ａ）Ａｂは配列番号１のアミノ酸配列を含み、
ｂ）Ｂｂは配列番号１０のアミノ酸配列を含み、かつ
Ｐは平均分子量が約１７．５ｋＤａから約４０ｋＤａであるＰＥＧであり、ＡｂおよびＢｂは、適切に架橋結合しており、Ｐは共有結合によってＢｂの３位でリシンのイプシロンアミンに結合している）を含む医薬組成物であって、
中等度から末期の慢性腎臓病患者の高血糖症治療に用いるための、医薬組成物。
【請求項２２】
ＰＥＧの平均分子量が約１７．５ｋＤａ〜約３０ｋＤａである、請求項１４〜２１のいずれか一項に記載の医薬組成物。
【請求項２３】
ＰＥＧの平均分子量が約１７．５ｋＤａ〜約２５ｋＤａである、請求項１４〜２１のいずれか一項に記載の医薬組成物。
【請求項２４】
ＰＥＧの平均分子量が約２０ｋＤａである、請求項１４〜２３のいずれか一項に記載の医薬組成物。
【請求項２５】
患者のクレアチニンクリアランスが６０未満ｍＬ／分である、請求項１４〜２４のいずれか一項に記載の医薬組成物。
【請求項２６】
患者のクレアチニンクリアランスが３０〜５９ｍＬ／分である、請求項１４〜２４のいずれか一項に記載の医薬組成物。
【請求項２７】
患者のクレアチニンクリアランスが１５〜２９ｍＬ／分である、請求項１４〜２４のいずれか一項に記載の医薬組成物。
【請求項２８】
患者に血液透析を必要とする、請求項１２〜２４のいずれか一項に記載の医薬組成物。
【請求項２９】
糖尿病が１型糖尿病である、請求項１２〜２８のいずれか一項に記載の医薬組成物。
【請求項３０】
糖尿病が２型糖尿病である、請求項１３〜２８のいずれか一項に記載の医薬組成物。
【請求項３１】
中等度から末期の慢性腎臓病患者の糖尿病治療用医薬品の製造における式Ｐ‐［（Ａ）‐（Ｂ）］の化合物
（式中、
ａ）ＡはインスリンリスプロのＡ鎖（配列番号１）であり、
ｂ）ＢはインスリンリスプロのＢ鎖（配列番号２）であり、かつ
Ｐは平均分子量が約１７．５ｋＤａから約４０ｋＤａであるＰＥＧであり、ＡおよびＢは適切に架橋結合しており、Ｐはウレタン結合によりＢの２８位でリシンのイプシロンアミンに結合している）の使用。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
センス鎖とアンチセンス鎖とを含むＲＮＡｉ剤を含む組成物であって、アンチセンス鎖が、表１に示すＫＲＡＳに特異的なＲＮＡｉ剤のアンチセンス鎖と０、１、２または３ヌクレオチド異なる少なくとも１５の連続したヌクレオチドを含む、組成物。
【請求項２】
ＫＲＡＳに対する第２のＲＮＡｉ剤をさらに含む、請求項１に記載の組成物。
【請求項３】
ＲＮＡｉ剤が、少なくとも１の改変骨格および／または少なくとも１の２’−改変ヌクレオチドを含む、請求項１に記載の組成物。
【請求項４】
ＲＮＡｉ剤が、診断用化合物、レポーター基、架橋剤、ヌクレアーゼ耐性付与部分、天然または特殊ヌクレオ塩基、親脂性分子、コレステロール、脂質、レクチン、ステロイド、ウバオール、ヘシゲニン、ジオスゲニン、テルペン、トリテルペン、サルササポゲニン、フリーデリン、エピフリーデラノール由来リトコール酸、ビタミン、炭水化物、デキストラン、プルラン、キチン、キトサン、合成炭水化物、オリゴ乳酸１５マー、天然ポリマー、低分子量または中分子量ポリマー、イヌリン、シクロデキストリン、ヒアルロン酸、タンパク質、タンパク質結合剤、インテグリンターゲティング分子、ポリカチオン、ペプチド、ポリアミン、模倣ペプチドおよび／またはトランスフェリンから選択される１または複数の作用剤にライゲーションされる、請求項１に記載の組成物。
【請求項５】
第１鎖と第２鎖とを含むＲＮＡｉ剤を含む組成物であって、第１鎖および第２鎖が、表１に示すＫＲＡＳに特異的なＲＮＡｉ剤のそれぞれ第１鎖および第２鎖と０、１、２または３ヌクレオチド異なる少なくとも１５の連続したヌクレオチドを含む、組成物。
【請求項６】
ＫＲＡＳに対する第２のＲＮＡｉ剤を含む、請求項１に記載の組成物。
【請求項７】
ＲＮＡｉ剤が、ホスホロチオエートおよび／または２’−改変ヌクレオチドを含む、請求項１に記載の組成物。
【請求項８】
ＲＮＡｉ剤が、診断用化合物、レポーター基、架橋剤、ヌクレアーゼ耐性付与部分、天然または特殊ヌクレオ塩基、親脂性分子、コレステロール、脂質、レクチン、ステロイド、ウバオール、ヘシゲニン、ジオスゲニン、テルペン、トリテルペン、サルササポゲニン、フリーデリン、エピフリーデラノール由来リトコール酸、ビタミン、炭水化物、デキストラン、プルラン、キチン、キトサン、合成炭水化物、オリゴ乳酸１５マー、天然ポリマー、低分子量または中分子量ポリマー、イヌリン、シクロデキストリン、ヒアルロン酸、タンパク質、タンパク質結合剤、インテグリンターゲティング分子、ポリカチオン、ペプチド、ポリアミン、模倣ペプチドおよび／またはトランスフェリンから選択される１または複数の作用剤にライゲーションされる、請求項１に記載の組成物。
【請求項９】
個体においてＫＲＡＳ関連疾患を処置するための医薬組成物であって、センス鎖とアンチセンス鎖とを含むＲＮＡｉ剤を含み、アンチセンス鎖が、表１に示すＫＲＡＳに特異的なＲＮＡｉ剤のアンチセンス鎖と０、１、２または３ヌクレオチド異なる少なくとも１５の連続したヌクレオチドを含む、医薬組成物。
【請求項１０】
ＫＲＡＳ関連疾患が増殖性疾患、Ｃａｒｄｉｏ−Ｆａｃｉｏ−Ｃｕｔａｎｅｏｕｓ（ＣＦＣ）症候群またはヌーナン症候群である、請求項９に記載の医薬組成物。
【請求項１１】
ＫＲＡＳに対するさらなるＲＮＡｉ剤をさらに含む、請求項９又は１０に記載の医薬組成物。
【請求項１２】
個体においてＫＲＡＳの発現を阻害するための医薬組成物であって、センス鎖とアンチセンス鎖とを含むＲＮＡｉ剤を含み、アンチセンス鎖が、表１に示すＫＲＡＳに特異的なＲＮＡｉ剤のアンチセンス鎖と０、１、２または３ヌクレオチド異なる少なくとも１５の連続したヌクレオチドを含む、医薬組成物。
【請求項１３】
ＫＲＡＳ関連疾患が増殖性疾患、Ｃａｒｄｉｏ−Ｆａｃｉｏ−Ｃｕｔａｎｅｏｕｓ（ＣＦＣ）症候群またはヌーナン症候群である、請求項１２に記載の方法。
【請求項１４】
センス鎖とアンチセンス鎖とを含むＲＮＡｉ剤を含むＲＮＡｉ製剤において用いるための医薬であって、アンチセンス鎖が、表１に示すＫＲＡＳに特異的なＲＮＡｉ剤のアンチセンス鎖と０、１、２または３ヌクレオチド異なる少なくとも１５の連続したヌクレオチドを含む、医薬。
【請求項１５】
薬学的に効果的な製剤中にある上記の任意の組成物。
【請求項１６】
治療有効量の請求項１に記載の組成物を個体に投与するステップを含む、個体においてＫＲＡＳ関連疾患を処置する方法において用いるための、請求項１に記載の組成物。
【請求項１７】
ＫＲＡＳ関連疾患の処置のための医薬の製造における、請求項１に記載の組成物の使用。
【請求項１８】
全てのピリミジンが、２’Ｏ−メチル−改変ヌクレオチドである、請求項１に記載の組成物。
【請求項１９】
全てのピリミジンが、２’Ｏ−メチル−改変ヌクレオチドである、請求項５に記載の組成物。
【請求項２０】
ＲＮＡｉ剤がＭｉａＰａｃａ２細胞中で約１ｎＭ以下のＥＣ５０を有する、請求項１に記載の組成物。
【請求項２１】
ＲＮＡｉ剤がｉｎ  ｖｉｔｒｏでＲＫＯ細胞中１０ｎＭの濃度にてＫＲＡＳの発現を少なくとも約７０％阻害することができる、請求項１に記載の組成物。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
トランシーバと通信するように構成された少なくとも1つの第2段のスイッチと、
ダイバーシティ受信機アンテナと前記少なくとも1つの第2段のスイッチとの間に結合された少なくとも1つの第1段のスイッチであって、前記少なくとも1つの第2段のスイッチとは異なる電力量を処理するように構成された少なくとも1つの第1段のスイッチと
を備える多段ダイバーシティ受信機スイッチ。
【請求項２】
前記少なくとも1つの第2段のスイッチが、第2段のスイッチのバンクを備え、
前記少なくとも1つの第1段のスイッチが、前記第2段のスイッチのバンクよりも多くの電力を処理するように構成された単一の第1段のスイッチを備える、
請求項1に記載のダイバーシティ受信機スイッチ。
【請求項３】
各第2段のスイッチが、シリコンオンインシュレータ、シリコンオンサファイア、またはシリコンオンガラスからなる群から選択される基板上に作製されたトランジスタを備える、請求項2に記載のダイバーシティ受信機スイッチ。
【請求項４】
前記少なくとも1つの第1段のスイッチが、単極単投スイッチ構成を含む、請求項2に記載のダイバーシティ受信機スイッチ。
【請求項５】
各第2段のスイッチが、単極単投スイッチ構成を含む、請求項2に記載のダイバーシティ受信機スイッチ。
【請求項６】
前記第2段のスイッチのバンクが、単極多投スイッチ構成に従って構成される、請求項2に記載のダイバーシティ受信機スイッチ。
【請求項７】
前記少なくとも1つの第1段のスイッチが、前記ダイバーシティ受信機スイッチのオフ状態電力仕様に対応するように構成される、請求項2に記載のダイバーシティ受信機スイッチ。
【請求項８】
前記第2段のスイッチのバンクの各スイッチが、前記ダイバーシティ受信機スイッチのオン状態電力仕様に対応するように構成される、請求項2に記載のダイバーシティ受信機スイッチ。
【請求項９】
前記ダイバーシティ受信機アンテナと前記第2段のスイッチのバンクとの間に結合された複数の第1段のスイッチをさらに備える、請求項2に記載のダイバーシティ受信機スイッチ。
【請求項１０】
前記少なくとも1つの第1段のスイッチが、第1段のスイッチのバンクを備え、
前記少なくとも1つの第2段のスイッチが、前記第1段のスイッチのバンクよりも多くの電力を処理するように構成された単一の第2段のスイッチを備える、
請求項1に記載のダイバーシティ受信機スイッチ。
【請求項１１】
各第1段のスイッチが、シリコンオンインシュレータ、シリコンオンサファイア、またはシリコンオンガラスからなる群から選択される基板上に作製されたトランジスタを備える、請求項10に記載のダイバーシティ受信機スイッチ。
【請求項１２】
前記少なくとも1つの第2段のスイッチが、単極単投スイッチ構成を含む、請求項10に記載のダイバーシティ受信機スイッチ。
【請求項１３】
各第1段のスイッチが、単極単投スイッチ構成を含む、請求項10に記載のダイバーシティ受信機スイッチ。
【請求項１４】
前記第1段のスイッチのバンクが、単極多投スイッチ構成に従って構成される、請求項10に記載のダイバーシティ受信機スイッチ。
【請求項１５】
ダイバーシティ受信機スイッチ内での通信の方法であって、
前記ダイバーシティ受信機スイッチがオフ状態であるとき、少なくとも1つの第1段のスイッチを通じて、ダイバーシティアンテナ信号を少なくとも1つの第2段のスイッチから減結合するステップと、
前記ダイバーシティ受信機スイッチがオン状態であるとき、前記少なくとも1つの第1段のスイッチを通じて、前記ダイバーシティアンテナ信号を前記少なくとも1つの第2段のスイッチに結合するステップであって、前記少なくとも1つの第1段のスイッチが、前記少なくとも1つの第2段のスイッチとは異なる電力量を処理するように構成される、ステップとを含む方法。
【手続補正書】
【提出日】平成28年3月2日(2016.3.2)
【手続補正１】
【補正対象書類名】明細書
【補正対象項目名】００３９
【補正方法】変更
【補正の内容】
【００３９】
例示的実施形態では、アルミニウムブロック２０４は、銅ストリップ２０６を受容するアルミニウムブロック２０４の外囲範囲内に画定されたポケット２０９を含む。この外囲は、バスバー１４０の外囲と同一となる。銅ストリップ２０６は、アルミニウムブロック２０４のポケット２０９内に嵌め込まれ、アルミニウムブロック２０４の外囲すなわち輪郭内に収まる。銅ストリップ２０６は、バスバー１４０の高さ１４６よりも低い高さ２１０を有する。銅ストリップ２０６は、バスバー１４０の幅１４８よも小さい幅２１２を有する。アルミニウムブロック２０４は、銅ストリップ２０６の上でバスバー１４０の全幅１４８に渡って延在する。アルミニウムブロック２０４は、正極端１４２においてバスバー１４０の全高１４６に渡って延在する。銅ストリップ２０６は、上面２１４と、負極バッテリセル端子１２２の平らなパッド１３２に対向する底面２１６と、上面２０４と底面２１６との間の縁２１８を有する。アルミニウムブロック２０４は、上面２１４と、縁２１８の少なくとも一部に沿って延在し、銅ストリップ２０６の２つの互いに直交する表面に沿ってバイメタルインタフェース１４１を画定する。
【手続補正２】
【補正対象書類名】特許請求の範囲
【補正対象項目名】請求項１０
【補正方法】変更
【補正の内容】
【請求項１０】
前記銅ストリップ（２２４）は、前記正極セル端子（１２０）の輪郭の範囲内に嵌め込まれる請求項９のバイメタルバスバーアセンブリ（１３４）。
【誤訳訂正書】
【提出日】平成28年3月23日(2016.3.23)
【誤訳訂正１】
【訂正対象書類名】明細書
【訂正対象項目名】００５９
【訂正方法】変更
【訂正の内容】
【００５９】
補償照明瞳３７は、作用を受ける瞳ファセット１１に関して、座標軸シグマｘ又は座標軸シグマｙのいずれに関しても正確に鏡面対称であることはない。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マクロeNBにおいて、マクロ発展型ノードB(eNB)の電力飽和値に基づいてフラクショナル電力制御パラメータを生成するステップと、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータを前記マクロeNBからブロードキャストするステップと
を含む、方法。
【請求項２】
前記フラクショナル電力制御パラメータが、前記マクロeNBのカバレージエリアのエッジにおける物理アップリンク制御チャネル(PUCCH)の電力、または最大パスロス値のうちの少なくとも一方にさらに基づく、請求項1に記載の方法。
【請求項３】
前記フラクショナル電力制御パラメータを前記生成するステップが、
前記マクロeNBの前記カバレージエリアの前記エッジにおける前記PUCCHの前記電力から前記最大パスロス値を減じることによって第1の値を決定するステップと、
前記第1の値に前記マクロeNBの電力飽和値を加えることによって前記フラクショナル電力制御パラメータを決定するステップと
をさらに含む、請求項2に記載の方法。
【請求項４】
前記ブロードキャストするステップが、1つまたは複数の隣接セルの各々に対するフラクショナル電力制御パラメータを含むリストをブロードキャストするステップをさらに含む、請求項1に記載の方法。
【請求項５】
前記1つまたは複数の隣接セルの、前記リストへの包含が、前記1つまたは複数の隣接セルが、
閉じた加入者グループセル、開いた加入者グループセル、マクロeNB、ホームeNB、またはピコeNBのうちの少なくとも1つであるかどうかに応じて決まる、請求項4に記載の方法。
【請求項６】
前記1つまたは複数の隣接セルの各々から、前記1つまたは複数の隣接セルの各々に対する前記フラクショナル電力制御パラメータを受信するステップをさらに含む、請求項4に記載の方法。
【請求項７】
ワイヤレス通信の方法であって、
D2D通信に関与している間にマクロeNBからフラクショナル電力制御パラメータを、UEによって受信するステップと、
前記UEと前記マクロeNBとの間のパスロス値を加えた前記フラクショナル電力制御パラメータで規定される第1の値が、前記D2D通信に使用される最大電力で規定される第2の値未満であるかどうかを前記UEにおいて判断するステップと
を含む、方法。
【請求項８】
前記第1の値が前記第2の値未満であるものと判断されないとき、前記D2D通信に対する送信電力レベルを維持するステップをさらに含む、請求項7に記載の方法。
【請求項９】
前記第1の値が前記第2の値未満であるものと判断されるとき、D2D通信に対する最大送信電力レベルを前記第1の値まで低減するステップをさらに含む、請求項7に記載の方法。
【請求項１０】
前記UEと隣接セルのeNBとの間のパスロス値を加えた前記フラクショナル電力制御パラメータで規定される第3の値が、前記第2の値未満であるかどうかを判断するステップと、
前記第3の値が前記第2の値未満であるものと判断されないとき、前記D2D通信に対する送信電力レベルを維持するステップ、または
前記第3の値が前記第2の値未満であるものと判断されるとき、D2D通信に対する最大送信電力レベルを前記第3の値まで低減するステップと
をさらに含む、請求項7に記載の方法。
【請求項１１】
前記フラクショナル電力制御パラメータを受信するステップが、1つまたは複数の隣接セルに対するフラクショナル電力制御パラメータを含むリストを受信するステップをさらに含み、前記第3の値を決定するために使用されるべき前記リストから選択された前記フラクショナル電力制御パラメータが、前記隣接セルのeNBのセル識別子に基づく、請求項10に記載の方法。
【請求項１２】
前記マクロeNBに関連付けられたセル内でD2D通信に使用されるサブフレームが、隣接セル内のDLサブフレームであるものと判断するステップと、
前記受信されたフラクショナル電力制御パラメータに乗算器を適用して、前記UEと前記マクロeNBとの間のパスロス値を加えた前記フラクショナル電力制御パラメータに対してより小さい値をもたらすステップと
をさらに含む、請求項10に記載の方法。
【請求項１３】
ワイヤレス通信のためのマクロeNBであって、
マクロ発展型ノードB(eNB)の電力飽和値に基づいてフラクショナル電力制御パラメータを生成するための手段と、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータをブロードキャストするための手段とを含む、マクロeNB。
【請求項１４】
ワイヤレス通信のためのUEであって、
D2D通信に関与している間にマクロeNBからフラクショナル電力制御パラメータを受信するための手段と、
前記UEと前記マクロeNBとの間のパスロス値を加えた前記フラクショナル電力制御パラメータで規定される第1の値が、前記D2D通信に使用される最大電力で規定される第2の値未満であるかどうかを判断するための手段と
を含む、装置。
【請求項１５】
コンピュータに請求項1から6及び/又は請求項7から12のいずれか1項に記載の方法を実行させるコードを含む、コンピュータ可読記録媒体。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
ユーザ機器(UE)用の通信の方法であって、
前記UEが無線リソース制御(RRC)アイドルモードで動作していることを判定するステップと、
ユニバーサルモバイルテレコミュニケーションシステム(UMTS)またはロングタームエボリューション(LTE)ベースのネットワーク内のユーザプレーンを介したデータ送信用の1つまたは複数の基準を満たすデータの通信用のしきい値の持続時間の間有効な無線ベアラを取得するステップと、
前記UEを前記RRCアイドルモードに維持しながら前記無線ベアラを使用して、前記ユーザプレーンを介して前記データを送信するステップと
を含む、方法。
【請求項２】
前記送信に応答して、前記UEを前記RRCアイドルモードに維持しながら前記無線ベアラを介して、応答データを受信するステップ
をさらに含む、請求項1に記載の方法。
【請求項３】
前記データが前記送信より前に暗号化され、前記暗号化が前記UEとサービング汎用パケット無線サービス(GPRS)サポートノード(SGSN)との間のセキュリティに基づく、請求項1に記載の方法。
【請求項４】
前記1つまたは複数の基準が、
前記データ用のパケットサイズ、前記UEによる通信用のアップリンク(UL)パケットの数、前記UEのローカル構成、または前記UEに関連付けられたアプリケーションからの指示のうちの少なくとも1つを含む、請求項1に記載の方法。
【請求項５】
前記無線ベアラを取得する前記ステップが、
前記RNCにパケットチャネル要求を送信するステップと、
前記無線ベアラによるパケットチャネル割当てを受信するステップと
をさらに含む、請求項1に記載の方法。
【請求項６】
前記データの送信後に前記UEにサービスを行う新しいセル内の変化を検出するステップと、
前記RNCに新しいパケットチャネル要求を送信するステップと、
前記RNCが前記新しいセルをサポートするとの判定に基づいて、前記無線ベアラによる新しいパケットチャネル割当てを受信するステップと
をさらに含む、請求項1に記載の方法。
【請求項７】
ユニバーサルモバイルテレコミュニケーションシステム(UMTS)地上波無線アクセスネットワーク(UTRAN)用の通信の方法であって、
しきい値の持続時間の間有効な無線ベアラのための無線ベアラの割当てを介して、無線リソース制御(RRC)アイドルモードにあるユーザ機器(UE)からのユーザプレーンを介したデータ送信用の1つまたは複数の基準を満たすデータを受信するステップと、
共通データ接続を使用して、サービング汎用パケット無線サービス(GPRS)サポートノード(SGSN)に前記データを送るステップと
を含む、方法。
【請求項８】
前記アイドルモードにある前記UEからパケットチャネル要求を受信するステップと、
前記無線ベアラの割当てを前記UEに送信するステップと
をさらに含む、請求項7に記載の方法。
【請求項９】
前記UTRANと前記SGSNとの間の前記共通データ接続を確立するステップ
をさらに含む、請求項7に記載の方法。
【請求項１０】
前記パケットチャネル要求が、前記UEが第1のセルによってサービスされていることを示し、
前記アイドルモードにある前記UEから新しいパケットチャネル要求を受信するステップであって、前記新しいパケットチャネル要求が、前記UEが第2のセルによってサービスされていることを示す、ステップと、
前記UTRANが前記第2のセルによるサービスをサポートすると判定するステップと、
前記無線ベアラの割当てを前記UEに送信するステップと
をさらに含む、請求項8に記載の方法。
【請求項１１】
サービング汎用パケット無線サービス(GPRS)サポートノード(SGSN)用の通信の方法であって、
ユニバーサルモバイルテレコミュニケーションシステム(UMTS)地上波無線アクセスネットワーク(UTRAN)から共通データ接続を介してデータを受信するステップであって、前記データが、無線リソース制御(RRC)アイドルモードにあるユーザ機器(UE)からのユーザプレーンを介したデータ送信用の1つまたは複数の基準を満たす、ステップと、
ゲートウェイGPRSサポートノード(GGSN)/PDNゲートウェイ(PGW)に前記データを送るステップと
を含む、方法。
【請求項１２】
前記UTRANと前記SGSNとの間の前記共通データ接続を確立するステップ
をさらに含む、請求項11に記載の方法。
【請求項１３】
ユーザ機器(UE)用の通信のための装置であって、
前記UEが無線リソース制御(RRC)アイドルモードで動作していることを判定するための手段と、
ユニバーサルモバイルテレコミュニケーションシステム(UMTS)またはロングタームエボリューション(LTE)ベースのネットワーク内のユーザプレーンを介したデータ送信用の1つまたは複数の基準を満たすデータの通信用のしきい値の持続時間の間有効な無線ベアラを取得するための手段と、
前記UEを前記RRCアイドルモードに維持しながら前記無線ベアラを使用して、前記ユーザプレーンを介して前記データを送信するための手段と
を備える、装置。
【請求項１４】
ユニバーサルモバイルテレコミュニケーションシステム(UMTS)地上波無線アクセスネットワーク(UTRAN)用の通信のための装置であって、
しきい値の持続時間の間有効な無線ベアラのための無線ベアラの割当てを介して、無線リソース制御(RRC)アイドルモードにあるユーザ機器(UE)からのユーザプレーンを介したデータ送信用の1つまたは複数の基準を満たすデータを受信するための手段と、
共通データ接続を使用して、サービング汎用パケット無線サービス(GPRS)サポートノード(SGSN)に前記データを送るための手段と
を備える、装置。
【請求項１５】
サービング汎用パケット無線サービス(GPRS)サポートノード(SGSN)用の通信のための装置であって、
ユニバーサルモバイルテレコミュニケーションシステム(UMTS)地上波無線アクセスネットワーク(UTRAN)から共通データ接続を介してデータを受信するための手段であって、前記データが、無線リソース制御(RRC)アイドルモードにあるユーザ機器(UE)からのユーザプレーンを介したデータ送信用の1つまたは複数の基準を満たす、手段と、
ゲートウェイGPRSサポートノード(GGSN)/PDNゲートウェイ(PGW)に前記データを送るための手段と
を備える、装置。